(57)【要約】  外部封じ込め構造（１０，２０）と、高い空隙指数を有する三次元内部構造（３０）と、封じ込め構造内に挿入される粒状の充填材とを備える軽量保護要素およびマットレス・タイプのフィルタ。機械的タイプの係合手段（５０，５２）が、これらの構造の所定の部分を相互に係合するために外部封じ込め構造上に分散されている。【選択図】図２
2008542583.tif 000002
【特許請求の範囲】
【請求項１】
外部封じ込め構造（１０，２０）と、高い空隙率を有する三次元内部構造（３０）と、前記封じ込め構造の内部に挿入される粒状の充填材と、前記外部構造の所定の部分を相互に係合させるために、前記外部封じ込め構造上に分散される係合手段（５０，５２，５６）とを備える軽量保護要素およびマットレス・タイプのフィルタ。
【請求項２】
前記外部封じ込め構造が、下部（１０）および上部（２０）を有し、前記係合手段（５０，５２，５６）が、前記下部（１０）を前記上部（２０）と係合することを特徴とする請求項１に記載の要素。
【請求項３】
前記係合手段が、機械的係合手段（５０，５２，５６）を備えることを特徴とする請求項２に記載の要素。
【請求項４】
前記機械的係合手段が、少なくとも１対のプレート（５０）と、少なくとも１つの固定バー（５２）と、これら固定バー（５２）の端部を選択的に係合させることができる少なくとも１対のブロック（５６）とを備えることを特徴とする請求項３に記載の要素。
【請求項５】
前記外部封じ込め構造の前記端部が、前記保護要素およびフレームを閉じ、その内部に、高い空隙指数および前記充填材を含む三次元構造を保持するように相互に固定されることを特徴とする請求項４に記載の要素。
【請求項６】
高い空隙指数を有する前記三次元内部構造（３０）が、不織ジオテキスタイルおよび／または感熱材料のモノフィラメントを含むことを特徴とする請求項１に記載の要素。
【請求項７】
前記外部封じ込め構造の前記下部（１０）および前記上部（２０）が、下記の合成材料、すなわち、織りジオテキスタイル、織りジオグリル、ジオメンブレイン、ジオネットのうちの少なくとも１つからできていることを特徴とする請求項２に記載の要素。
【請求項８】
前記外部封じ込め構造の前記下部（１０）および前記上部（２０）が、下記の天然材料、すなわち、葦のマット、生分解性バイオネット、藁、ココナッツ繊維、かんな屑のうちの少なくとも１つからできていることを特徴とする請求項２に記載の要素。
【請求項９】
使用中に、前記全要素の牽引に対する抵抗を増大するために、補強要素（４８）をさらに備える請求項１から請求項８までのいずれか１項に記載の要素。
【発明の詳細な説明】
【技術分野】
【０００１】
本発明は、軽量保護要素およびマットレス・タイプのフィルタに関し、特に、しかしこれに限定されない、地面、より好適には海底を保護し、カバーするためのバラスト入り濾過マットレスに関する。
【背景技術】
【０００２】
本出願人のいくつかの参照文献を含む種々の文献から、例えば、水中管、運河の岸および河床を固定し、保護するために平行六面体の形状の柔軟な保護要素を使用するのは周知のことである。これらの要素は、大きな単位重量を有する要素を得るために、金属材料からできていて、ビチューメン、砂、および石または小石から構成される混合物で満たされている蛇籠（ｇａｂｉｏｎ）をコートしている柔軟な外部カバーを備える。これらの保護要素は、一旦作成されると、クレーン、機械アーム等のようなハンドリングマシーンにより水中に沈めなければならない。上記設置を容易にするために、使用中に、その取り扱いを容易にする支持要素を備えるマットレス・タイプの保護要素を作るための動作は周知である。
【０００３】
周知のタイプの要素の主な制限の１つは、設置動作を非常に複雑にし、非常に面倒なものにするその厚みの大きさとその重さによるものである。
【０００４】
周知のタイプの要素のもう１つの制限は、蛇籠の寸法および／またはそれらを作るために使用される形状とリンクしているその限定された全体の寸法によるものである。
【発明の開示】
【発明が解決しようとする課題】
【０００５】
本発明の１つの目的は、かなり重量が軽く、容易に設置することができ、必要な用途のタイプにより変えることができる全体の寸法を有し、例えば、しかしこれに限定されない、直線にして最大２００メートルである縦方向の切れ目を持たない保護要素およびフィルタをうまく構成することができる保護要素およびマットレス・タイプのフィルタを提供することである。
【０００６】
本発明のもう１つの目的は、経済的に、容易におよび速く製造することができ、そのため設置の時間およびコストをかなり節約することができる保護要素およびフィルタを提供することである。
【課題を解決するための手段】
【０００７】
上記目的を達成するために、本発明は、添付の主クレイムに定義する軽量保護要素およびマットレス・タイプのフィルタに関する。
【０００８】
本発明の主な利点の１つは、保護要素が、さらに、砂利、細砂、細かく砕いた石、または現場で入手することができる任意の他の自然の粒状要素のような充填材が挿入される、高い空隙率を有する三次元内部構造を備えていることである。この有利な特徴のために、充填材を安定にするために内部隔壁開口部を形成する必要がない。
【０００９】
もう１つの特に有利な特徴によれば、マットレス・タイプの要素は、また、三次元内部構造に接続していて、保護要素を濾過要素として動作することができるようにし、同時に、粒状の充填材のバラスト重量により適用される地面に対してしっかりと適合したままでいる、例えば、上の層および下の層のようなジオテキスタイル材料の二重層を備える。
【００１０】
本発明を制限しない単に例示としてのものに過ぎない添付の図面を参照しながら、好ましい実施形態のうちの１つの下記の説明を読めば、他の特徴および利点を理解することができるだろう。
【発明を実施するための最良の形態】
【００１１】
ここで図面を参照すると、本発明による軽量保護要素およびマットレス・タイプのフィルタは、外部封じ込め構造を備える。外部封じ込め構造は、例えば、底部シート１０のような下部と、例えば、カバー・シート２０のような上部とを備える。両方のシート１０および２０は、例えば、織りジオテキスタイルまたは織りジオグリル、ジオメンブレイン、ジオネットのようなジオ合成材料であることが好ましい合成材料から作ることができる。代替的に、シート１０および２０は、例えば、藁、ココナッツ繊維またはかんな屑および一般的な天然材料のような、バイオマットおよび／または生分解性のバイオネットであることが好ましい天然材料からも作ることができる。
【００１２】
好適には、例えば、金属ネットおよび／またはジオグリルのような補強要素４８を、全マットレスの牽引への抵抗を増大するために底部シート１０と係合させることができることが好ましい。
【００１３】
下部１０と上部２０との間には、好適には不織ジオテキスタイル、より好適には、例えば、合成ポリマーおよび／またはポリアミドのような感熱材料のモノフィラメントを含む不織ジオテキスタイルであることが好ましい、高い空隙率を有する三次元内部構造が配置されている。本発明の特定の実施形態によれば、感熱材料のモノフィラメントは、補強金属ネットおよび／またはジオグリル４８上に押し出すことができる。
【００１４】
例えば、砂利、砂、細砂、細かく砕いた石、または好適には現場で入手することができる任意の他の自然の要素のような粒状の充填材は、高い空隙率を有する三次元内部構造３０内に挿入することができる。粒状の充填材は、大きな負荷がかかった場合でも、三次元ジオ合成材料の厚さを維持し、全軽量保護要素およびフィルタを重量で押さえつけるために、三次元排水構造３０の濾過動作を助ける働きをする。
【００１５】
底部シート１０およびカバー・シート２０は、好適には、合成および／または金属材料からできている、例えば、しかしこれに限定されない、１対のプレート５０、または連続しているストリップのような機械的タイプのものであることが好ましい係合手段により相互に係合される。プレート５０は、底部シート１０およびカバー・シート２０の外面上に整合して対向状態で配置されていて、２枚のシート１０および２０の面内に形成されている各開口部の領域内の面上に分散されている。各プレート５０は、プレート５０または下部ストリップ内に覆っているネジ山５４を有する固定バー５２が貫通している貫通孔を含む。２つのブロック５６は、バー５２に沿って２枚のプレートの位置を固定し、底部シート１０およびカバー・シート２０を相互に係合するために、バー５２の端部５４にネジ止めされている。
【００１６】
当然、当業者であれば、進歩性を使用しないで、またそれにより本発明の範囲から逸脱することなしに、上記のものについて機械的または非機械的な異なる係合手段を開発することができるだろう。
【００１７】
図１にはっきり示すように、保護要素およびフィルタを完全に固定するために、係合手段は、底部シート１０およびカバー・シート２０の全領域上に均一に分散されている。シート１０および２０の端部は、例えば、保護要素およびフィルタを閉じ、その内部に高い空隙指数を有する三次元構造および充填材を保持するために、連続している縫い目５３により相互に固定されている。
【００１８】
本発明のもう１つの好ましい実施形態によれば、保護要素およびフィルタの外部封じ込め構造は、例えば、一方の側面が開いていて、その内部に高い空隙率を有する三次元構造および充填材が挿入される、すでに説明した合成および天然材料のパウチまたは容器を含むが、これらに限定されない。同様に、外部構造の解放端部は、例えば、保護要素およびフィルタを閉じ、その内部に三次元内部構造および充填材を保持するために、例えば、連続している縫い目５３により相互に固定されている。
【００１９】
本発明のもう１つの実施形態によれば、充填材は、シート１０および２０が天然繊維のジオシンセテックからできている場合には、肥沃な土壌、種および／または他の類似の材料を含むことができる。軽量保護要素およびフィルタは、それにより、地面、堤防および更新しなければならない傾斜地をカバーするために使用することができる。
【００２０】
本発明の実施形態は、完成したマットレスの装置の種々の寸法および部品により変化する。より詳細には、一般に、長さが６〜７メートル以上の直線的長さが長い完成マットレスの場合には、要素が回転するフロート（ｐｏｎｔｏｏｎ）またはローラを使用することができ、一方、短いマットレスの場合には、種々の形状または寸法の上昇フレームを使用することができる。この最後の場合、設置作業中に固定バー５２に、それらを上昇フレームに接続することができるように、例えば、端部リング・ボルトのような係合手段を提供することができる。
【００２１】
当然、変わらない本発明の原理、実施形態の形状および構造の詳細を、本発明の範囲から逸脱することなしに、説明し、図示したものから種々様々に変更することができる。
【図面の簡単な説明】
【００２２】
【図１】本発明による軽量保護要素およびマットレス・タイプのフィルタの概略斜視図である。
【図２】図１の要素のＡ’−Ａ’線に沿って切断した概略断面図である。
【図１】
2008542583.tif 000003
【図２】
2008542583.tif 000004
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
外部封じ込め構造（１０，２０）と、前記封じ込め構造の内部に挿入される粒状の充填材と、前記外部構造の所定の部分を相互に係合させるために、前記外部封じ込め構造上に分散される係合手段（５０，５２，５６）とを備える軽量保護要素およびマットレス・タイプのフィルタであって、前記要素が、高い空隙指数を有する三次元内部構造（３０）をさらに備え、前記粒状の充填材が、三次元内部構造（３０）内に挿入されることを特徴とする軽量保護要素およびマットレス・タイプのフィルタ。
【請求項２】
前記外部封じ込め構造が、下部（１０）および上部（２０）を有し、前記係合手段（５０，５２，５６）が、前記下部（１０）を前記上部（２０）と係合することを特徴とする請求項１に記載の要素。
【請求項３】
前記係合手段が、機械的係合手段（５０，５２，５６）を備えることを特徴とする請求項２に記載の要素。
【請求項４】
前記機械的係合手段が、少なくとも１対のプレート（５０）と、少なくとも１つの固定バー（５２）と、これら固定バー（５２）の端部を選択的に係合させることができる少なくとも１対のブロック（５６）とを備えることを特徴とする請求項３に記載の要素。
【請求項５】
前記外部封じ込め構造の前記端部が、前記保護要素およびフレームを閉じ、その内部に、高い空隙指数および前記充填材を含む三次元構造を保持するように相互に固定されることを特徴とする請求項４に記載の要素。
【請求項６】
高い空隙指数を有する前記三次元内部構造（３０）が、感熱材料のモノフィラメントおよび／または不織ジオテキスタイルを含むことを特徴とする請求項１に記載の要素。
【請求項７】
前記外部封じ込め構造の前記下部（１０）および前記上部（２０）が、下記の合成材料、すなわち、織りジオテキスタイル、織りジオグリル、ジオメンブレイン、ジオネットのうちの少なくとも１つからできていることを特徴とする請求項２に記載の要素。
【請求項８】
前記外部封じ込め構造の前記下部（１０）および前記上部（２０）が、下記の天然材料、すなわち、葦のマット、生分解性バイオネット、藁、ココナッツ繊維、かんな屑のうちの少なくとも１つからできていることを特徴とする請求項２に記載の要素。
【請求項９】
使用中に、前記全要素の牽引に対する抵抗を増大するために、補強要素（４８）をさらに備える請求項１から請求項８までのいずれか１項に記載の要素。
【国際調査報告】
2008542583.tif 000005
2008542583.tif 000006